【手続補正書】
【提出日】平成16年11月29日(2004.11.29)
【手続補正１】
【補正対象書類名】明細書
【補正対象項目名】請求項１
【補正方法】変更
【補正の内容】
【請求項１】
データ単位の処理装置であって、
第１のプロトコル層（１）の実行手段と、
前記第１のプロトコル層（１）の上位に位置する第２のプロトコル層（２）の実行手段と、
前記第２のプロトコル層（２）へとリリースされるべきデータ単位をバッファリングするバッファ（３１）と、
前記第２のプロトコル層（２）に準拠したデータ単位を前記バッファ（３１）からリリースする処理を制御するよう動作するバッファ・コントローラ（３２）と
を含み、
前記第１のプロトコル層（１）は、通信処理において受信側ピアとして動作するときに、前記第２のプロトコル層（２）へと上位の方向にデータ単位を引き渡すように構成されており、
前記バッファ（３１）は、前記第２のプロトコル層（２）に準拠したデータ単位をリリースする前に、前記複数のデータ単位を蓄積するよう動作し、
前記バッファ・コントローラ（３２）は、前記第２のプロトコル層（２）に準拠した複数のデータ単位がリリースされる際に、各データ単位がリリース期間（Ｔ）にわたって前記バッファ（３１）からリリースされるように制御し、
前記リリース期間（Ｔ）は、前記複数のデータ単位を即時にリリースする際に必要となる時間よりも長い期間である、データ単位の処理装置。
【手続補正２】
【補正対象書類名】明細書
【補正対象項目名】請求項６
【補正方法】変更
【補正の内容】
【請求項６】
前記受信側ピアとして動作するとき、前記第１のプロトコル層（１）は、前記第１のプロトコル層（１）に準拠したデータ単位を前記第２のプロトコル層（２）に準拠したデータ単位へと組み立てるよう処理し、
前記第１のプロトコル層に準拠した一以上のデータ単位の受信処理に関する情報を提供すべく、前記第１のプロトコル層の受信側ピアにより前記第１のプロトコル層の送信側ピアにフィードバックメッセージを発行するよう構成された送信フィードバックプロシージャを、前記第１のプロトコル層（１）の実行手段が実行するように構成されており、
前記データ単位の処理装置は、最大リリース期間（ＴＭ）が前記送信フィードバックプロシージャのフィードバック間隔（ＦＩ）に基づいて決定されるように構成されており、前記フィードバック間隔は、前記受信側ピアにより連続して送信されたフィードバックメッセージ間の時間間隔の値を示している、請求項１乃至請求項３の何れかに記載のデータ単位の処理装置。
【手続補正３】
【補正対象書類名】明細書
【補正対象項目名】請求項１０
【補正方法】変更
【補正の内容】
【請求項１０】
前記リリース期間（Ｔ）にわたって前記複数のデータ単位をリリースする際のデータリリースレート（ＲＲ）は、リリースの対象となっている前記複数のデータ単位の数（ＮＰＲ）と前記最大リリース期間（ＴＭ）とについての関数である、請求項４乃至請求項９の何れかに記載のデータ単位の処理装置。
【手続補正４】
【補正対象書類名】明細書
【補正対象項目名】請求項１１
【補正方法】変更
【補正の内容】
【請求項１１】
前記リリース期間（Ｔ）にわたって前記複数のデータ単位をリリースする際のデータリリースレート（ＲＲ）は、リリースの対象となっている前記複数のデータ単位の数（ＮＰＲ）を前記最大リリース期間（ＴＭ）によって除算して求められた値以上である、請求項１０に記載のデータ単位の処理装置。
【手続補正５】
【補正対象書類名】明細書
【補正対象項目名】請求項１２
【補正方法】変更
【補正の内容】
【請求項１２】
前記リリース期間（Ｔ）にわたって前記複数のデータ単位をリリースする際のデータリリースレート（ＲＲ）は、バッファ蓄積レート（ＢＦＲ）以上である、請求項１０または請求項１１に記載のデータ単位の処理装置。
【手続補正６】
【補正対象書類名】明細書
【補正対象項目名】請求項１３
【補正方法】変更
【補正の内容】
【請求項１３】
前記バッファ・コントローラ（３２）は、前記第２のプロトコル層に準拠した前記データ単位を前記バッファ（３１）からのリリース処理を制御する際に、前記複数のデータ単位の数（ＮＰＲ）が予め定められたしきい値（Ｔｈ）を超えているときには、前記複数のデータ単位のそれぞれを、該複数のデータ単位の全てを即時にリリースした場合に必要となる時間よりも長いリリース期間（Ｔ）にわたってリリースし、一方、前記複数のデータ単位の数（ＮＰＲ）が予め定められたしきい値（Ｔｈ）を超えていないときには、該複数のデータ単位を即座にリリースするよう制御する、請求項１乃至１２の何れかに記載のデータ単位の処理装置。
【手続補正７】
【補正対象書類名】明細書
【補正対象項目名】請求項１４
【補正方法】変更
【補正の内容】
【請求項１４】
前記データ単位の処理装置は、前記リリース期間（Ｔ）にわたってリリースされる前記複数のデータ単位の少なくとも一部を、同時にｎ（ｎは１以上の整数）個ずつリリースする、請求項１乃至１３の何れかに記載のデータ単位の処理装置。
【手続補正８】
【補正対象書類名】明細書
【補正対象項目名】請求項１８
【補正方法】変更
【補正の内容】
【請求項１８】
第１のプロトコル層（１）の実行手段と、該第１のプロトコル層（１）の上位に位置する第２のプロトコル層（２）の実行手段と、前記第２のプロトコル層（２）へとリリースされるべきデータ単位をバッファリングするバッファ（３１）とを含み、前記第１のプロトコル層（１）は、通信処理において受信側ピアとして動作するときに、前記第２のプロトコル層（２）へと上位の方向にデータ単位を引き渡すように構成されており、前記バッファ（３１）は、前記第２のプロトコル層（２）に準拠したデータ単位をリリースする前に、前記複数のデータ単位を蓄積するよう動作する、データ単位処理装置の制御方法であって、
前記第２のプロトコル層（２）に準拠した複数のデータ単位がリリースされるときは、各データ単位がリリース期間（Ｔ）にわたって前記バッファ（３１）からリリースされるように制御し、
前記リリース期間（Ｔ）は、前記複数のデータ単位を即時にリリースする際に必要となる時間よりも長い期間である、データ単位処理装置の制御方法。
【手続補正９】
【補正対象書類名】明細書
【補正対象項目名】請求項２０
【補正方法】変更
【補正の内容】
【請求項２０】
前記第２のプロトコル層に準拠したデータ単位は、予め定められた順序を有し、前記第２のプロトコルのデータ単位が前記順序に従ってリリースされるように制御する、請求項１８又は請求項１９に記載のデータ単位処理装置の制御方法。
【手続補正１０】
【補正対象書類名】明細書
【補正対象項目名】請求項２３
【補正方法】変更
【補正の内容】
【請求項２３】
前記受信側ピアとして動作するとき、前記第１のプロトコル層（１）は、前記第１のプロトコル層（１）に準拠したデータ単位を前記第２のプロトコル層（２）に準拠したデータ単位へと組み立てるよう処理し、
前記第１のプロトコル層（１）に準拠した一以上のデータ単位の受信に関する情報を提供すべく、前記第１のプロトコル層の受信側ピアによりフィードバックメッセージを前記第１のプロトコル層の送信側ピアに発行するよう、前記第１のプロトコル層（１）の実行手段の送信フィードバックプロシージャが構成されており、
最大リリース期間（ＴＭ）は、前記送信フィードバックプロシージャのフィードバック間隔（ＦＩ）に基づいて決定され、前記フィードバック間隔（ＦＩ）は、前記受信側ピアにより連続して送信されたフィードバックメッセージ間の時間間隔を示した値である、請求項１８乃至請求項２０の何れかに記載されたデータ単位処理装置の制御方法。
【手続補正１１】
【補正対象書類名】明細書
【補正対象項目名】請求項２７
【補正方法】変更
【補正の内容】
【請求項２７】
前記リリース期間（Ｔ）にわたって前記複数のデータ単位をリリースする際のデータリリースレート（ＲＲ）は、リリースの対象となっている前記複数のデータ単位の数（ＮＰＲ）と前記最大リリース期間（ＴＭ）とについての関数である、請求項２１乃至請求項２６の何れかに記載のデータ単位処理装置の制御方法。
【手続補正１２】
【補正対象書類名】明細書
【補正対象項目名】請求項２８
【補正方法】変更
【補正の内容】
【請求項２８】
前記リリース期間（Ｔ）にわたって前記複数のデータ単位をリリースする際のデータリリースレート（ＲＲ）は、リリースの対象となっている前記複数のデータ単位の数（ＮＰＲ）を前記最大リリース期間（ＴＭ）によって除算して求められた値以上である、請求項２７に記載のデータ単位処理装置の制御方法。
【手続補正１３】
【補正対象書類名】明細書
【補正対象項目名】請求項２９
【補正方法】変更
【補正の内容】
【請求項２９】
前記リリース期間（Ｔ）にわたって前記複数のデータ単位をリリースする際のデータリリースレート（ＲＲ）は、バッファ蓄積レート（ＢＦＲ）以上である、請求項２８に記載のデータ単位処理装置の制御方法。
【手続補正１４】
【補正対象書類名】明細書
【補正対象項目名】請求項３０
【補正方法】変更
【補正の内容】
【請求項３０】
前記第２のプロトコル層に準拠した前記データ単位を前記バッファ（３１）からのリリース処理を制御する際に、前記複数のデータ単位の数（ＮＰＲ）が予め定められたしきい値（Ｔｈ）を超えているときは、前記複数のデータ単位のそれぞれを、該複数のデータ単位の全てを即時にリリースした場合に必要となる時間よりも長いリリース期間（Ｔ）にわたってリリースし、一方、前記複数のデータ単位の数（ＮＰＲ）が予め定められたしきい値（Ｔｈ）を超えていないときには、該複数のデータ単位を即座にリリースするよう制御する、請求項１８乃至２９の何れかに記載のデータ単位処理装置の制御方法。
【手続補正１５】
【補正対象書類名】明細書
【補正対象項目名】請求項３１
【補正方法】変更
【補正の内容】
【請求項３１】
前記リリース期間（Ｔ）にわたってリリースされる前記複数のデータ単位の少なくとも一部を、同時にｎ（ｎは１以上の整数）個ずつリリースする、請求項１８乃至３０の何れかに記載されたデータ単位処理装置の制御方法。